(57)【要約】本発明は、街灯・各種フェンスなどのアンカー基礎機構を形成するにおいて: 地面の内部に挿設が可能になるように形成され、内部に収容空間を備える円筒垂直管形状の胴体部；胴体部の下側にボルトで固定されて地面の内部に挿設が容易になるようにするカバー部；胴体部の上側に一体と形成されて地面に露出した後、施設支柱との固定が可能になるように多数の通孔と施設固定ボルトフランジを有する支持部；及び前記胴体部の収容空間に形成されて地面の内側面部に深く打ち込まれるようにした後、綿密に固定されるようにすることにより荷重を支持し、回転を防止し、強制に抜かれることを防止できるようにアンカーピンを備えるアンカーアセンブリ；を備える。【選択図】  図１
2022501537.tif 000002
【特許請求の範囲】
【請求項１】
街灯・信号灯・道路標識・通信塔・太陽光設備・各種フェンスの施設を地面に支持するための支柱を固定するアンカー基礎機構を形成するにおいて；
前記地面（１）の内部に挿設可能に形成され、内部に収容空間（１１）を備える垂直円筒管状の胴体部（１０）；
前記胴体部（１０）の下側にボルトで固定されて地面１の内部への挿設が容易になるように備えるカバー部（２０）；
前記胴体部（１０）の上側に一体として形成されて地面（１）に露出した後、支柱（２）との固定が可能となるように多数の通孔（３１）とフランジ（３２）を有する支持部（３０）；及び
前記胴体部（１０）の収容空間（１１）に形成されて、地面（１）の内側面部に深く打ち込まれるようにした後、綿密に固定されるようにすることにより荷重を支持し、回転を防止し、強制に抜かれことを防止できるようにアンカーピン（４８）、（５８）を備えるアンカーアセンブリ（４０）、（５０）；を備えることを特徴とする支柱固定の容易性と固定力の強化を兼ね備えたアンカー基礎機構。
【請求項２】
前記胴体部（１０）は、収容空間（１１）と連通して電線及びＥＬＰ電線管、接地線などを挿設して電源の供給が円滑になるように多数の引き込みホール（１２）をさらに備えることを特徴とする請求項１に記載の支柱固定の容易性と固定力の強化を兼ね備えたアンカー基礎機構。
【請求項３】
前記胴体部（１０）は、支柱（１）に加えられる風などの圧力により回転又は沈下することを防止するために回転防止板（１３）をさらに備えることを特徴とする請求項１に記載の支柱固定の容易性と固定力の強化を兼ね備えたアンカー基礎機構。
【請求項４】
前記カバー部（２０）は、地面（１）の挿設程度を回転工具（６３）を使用して調節できるように外部面にコーン状のカバーとスクリュー（２１）が形成されることを特徴とする請求項１に記載の支柱固定の容易性と固定力強化を兼ね備えたアンカー基礎機構。
【請求項５】
前記アンカーアセンブリ（４０）は、胴体部（１０）の内部に固定される上部支持台（４１）と下部支持台（４２）の間に多数のレール（４３）により支持される支持台部（４４）と、支持台部（４４）のレール（４３）を収容して上下部に移送可能にするレール溝（４５ａ）を有し、中心に締結工具（６１）を連結できるように締結ナット（４５ｂ）を備えて上下移送ができる移送第（４５）と、移送台（４５）にアンカーピン（４８）がうまく動けるようにサイドピン（４６）とサイドピンホール（４６ａ）を有し、移送台（４５）の下部移送により傾斜溝（４７）から外部に突出カバー（１４）を押し出しながら地面（１）の内部に挿入固定される多数のアンカーピンを備え、アンカーピン（４８）を収容するアンカーピンハウス（４５ｆ）とアンカーピン（４８）上に異物及び地下水の流入を防止してアンカーピン（４８）が固着することを防止する異物遮断室（４６ｂ）を備える一方、移送台（４５）が下部移送後に固定できるようにロックボルト（４９ｂ）とロックボルトナット（４９ｃ）を締結し、
アンカーアセンブリ（５０）は、胴体部（１０）の内部に固定される上部支持台（５１）と下部支持台（５２）の間に多数のレール（５３）により支持される支持台部（５４）と、支持台部（５４）のレール（５３）を収容して上下部への移送ができるようにレール溝（５５ａ）を有し、センターボルト（５６）を挿入できるように貫通孔（５５ｂ）を備える移送台（５５）と、移送台（５５）の貫通孔（５５ｂ）に挿設して下部支持台（５２）のセンターボルトタブ（５２ａ）と締結した後、回転により移送台（５５）を上下移動させるセンターボルト（５６）と、センターボルト（５６）に移送台（５５）を支持するワッシャー（５６ａ）及びスナップリング（５６ｂ）と、移送台（５５）にアンカーピン（５８）がうまく動けるようにサイドピン（４６）を有し、センターボルト（５６）の回転による移送台（５５）の下部移送により傾斜溝（５７）から外部に突出カバー（１４）を押し出しながら地面（１）の内部において挿設・固定されるようにする多数のアンカーピン（５８）及びアンカーピンハウス（５５ｃ）とを備え、アンカーピン（５８）上には異物及び地下水の流入を防止してアンカーピン（５８）が固着することを防止する異物遮断室（４６ｂ）を備える構成のうちいずれか１つを選択して備える請求項１に記載の支柱固定の容易性と固定力強化を兼ね備えたアンカー基礎機構。
【請求項６】
前記胴体部（１０）は、地面１の内部に挿設する場合、胴体部（１０）の収容空間（１１）への異物の流入を防止するアンカーピン（４８）、（５８）により上部方向に開放されるように上部の２ヶ所のみを２〜３ｍｍ連結して折曲する突出カバー（１４）をさらに備えることを特徴とする請求項１に記載の支柱固定の容易性と固定力強化を兼ね備えたアンカー基礎機構。
【発明の詳細な説明】
【技術分野】
【０００１】
本発明は、支柱固定の容易性と固定力強化を兼ね備えたアンカー基礎機構に関し、より具体的には、街灯・信号灯・道路標識・通信塔・太陽光設備・各種フェンスなどの下柱を支える支柱を地面の内部において堅固に固定して安全性を確保する一方、オーガドリルにより穿孔された地面上に挿設されたアンカー基礎機構をアンカーアセンブリのアンカーピンにより地面の内側面部に深く打ち込まれるようにして綿密に固定されるように形成することにより、作業の容易性及び設置上の利便性と共に細密な固定力が得られることはもちろん、電力の供給が必要な街灯や信号灯などに設置される電線や付帯施設などが外部に露出しないように構成することによりきれいな外観を保つことができ、回転防止板を構成して支柱上に加えられる多くの圧力から支柱を支持することにより回転を防止し、外部圧力により強制に抜かれることを防止することができ、施設の寿命が尽きるか施設の位置を移動するとき、アンカー基礎機構のアンカーピンをアンカー基礎の内部の元位置に戻してアンカー基礎機構の回収が円滑に行われるようにする支柱固定の容易性と固定力の強化を兼ね備えたアンカー基礎機構に関する。
【背景技術】
【０００２】
通常、道路沿いには人と車両の円滑な通行を誘導するか制御するための各種道路施設が設置される。このような道路施設は街灯・信号灯・道路標識・通信塔・太陽光設備・各種フェンスなどがあり、道路施設は支柱を利用して道路沿いの一方側又は太陽光設備の設置時には一定の空間上に設置されるが、この時、強い風や重い荷重などの外部圧力により崩れるか抜けるようになると、市民の安全を保障できないため、綿密な支持力と固定力が必ず保障されなければならない。しなしながら、最近も台風・地震・ハリケーンなどの天災地変により支柱が倒れたり崩れたり抜けたりする現象がしばしば発生する。
【０００３】
一例として、大韓民国登録特許第１０６０１６５号によると、「上部には支柱（２０）が安着できるように上部が開放された安着溝（１１）が形成され、上部両側には安着溝（１１）に安着した支柱（２０）の固定のためのスクリューボルト（１）が貫通締結されるように第１ボルト締結孔（１２）が形成され；下部には両側壁を連結支持するための支持プレート（１３）が備えられ；前記支持プレート（１３）には地面との固定のためにアンカーボルト（２）が垂直に締結されるように第２ボルト締結孔（１４）が形成され、前記定着溝（１１）は両側が開放されて一定の長さをなす水平面として形成されて支柱（２０）の安着位置の調節ができるように構成され；前記定着溝（１１）を中央に形成するように上部両側にはガイド突部（１５）が対称状に備えられるものの、前記ガイド突部（１５）の外側には前記第１ボルト締結孔（１２）に締結のためのスクリューボルト（１）が貫通挿入された後、外部への露出を防止する貫通孔（１２’）が形成されたことを特徴とする橋梁欄干用の支柱アンカーボックス。」を提示する。
【０００４】
しかしながら、このような橋梁欄干用の支柱アンカーボックスは、全体の支持をスクリューボルトにより固定しているため、固定力は期待したほど得られず、台風や地震等の自然災害が発生すると、支柱が離脱する恐れが大きい。
【０００５】
また他の例として、大韓民国登録特許第０８８１８６３号によると、「コンクリート支柱台において、前記コンクリート支柱台の支柱台胴体（１２）の下段部に金属材で製作されたアンカーボルト連結用ソケット（２０）が設置され、前記アンカーボルト連結用ソケット（２０）は、大直径の円周に形成されてそれぞれアンカーボルト（Ｂ）が挿入される多数のアンカーボルト締結孔（２２ａ）と小直径の円周に形成されて前記コンクリート支柱台に埋設された引張筋の一端部が連結される多数の引張筋連結孔（２２ｂ）を有する円板形フランジ部（２２）と；前記アンカーボルト締結孔（２２ａ）と前記引張筋連結孔（２２ｂ）の間に位置して前記円板形フランジ部（２２）に所定高さで立設された円筒形ボス部（２４）からなることを特徴とするアンカーボルトにより設置されるコンクリート支柱台」を提示する。
【０００６】
しかしながら、このようなアンカーボルトにより設置されるコンクリート支柱台は、単にコンクリート支柱台上にアンカーボルトにより固定する構造となり、また、内部に挿設されたコンクリート支柱台のみで固定力を発揮しなければならないため、固定力に限界がある。
【０００７】
また他の例として、大韓民国登録特許第１８４２１５３号によると、「床（Ｅ）から太陽光パネル（Ｐ）が一定間隔離隔するようにする太陽光パネル基礎構造体（ＳＢ）において、固定支柱（１０）の下段部が床（Ｅ）に固定され、上段部に上下方向に複数の貫通孔（１２）が形成され、前記複数の貫通孔（１２）はボルトガイド孔（１３）により互いに連動するが、前記ボルトガイド孔（１３）の幅は、前記貫通孔（１２）の直径より小さく形成され、前記固定支柱（１０）の上段部に固定ブラケット（２０）が備えられるが、前記固定ブラケット（２０）は太陽光パネル（Ｐ）が結合されるフランジ（２１）が備えられ、前記フランジ（２１）には複数の長孔（２１ａ）が放射状に形成されて太陽光パネル（Ｐ）の結合方向に応じて前記複数の長孔（２１ａ）のうち選択的にねじ・結合され、前記フランジ（２１）の下部に一対にブラケットアーム（２２）が直角になるように形成されて前記ブラケットアーム（２２）間に固定支柱（１０）の上段部が備えられ、前記ブラケットアーム（２２）にヒンジ孔（２３）が形成され、前記ブラケットアーム（２２）はヒンジ孔（２３）を中心に一定の距離によって円弧形の傾きガイド孔（２４）が形成され、ヒンジボルト（３０）がヒンジ孔（２３）を貫通して前記固定ブラケット（２０）の傾きが調節され、前記ヒンジボルト（３０）はボルトヘッド（３１）とボルト胴体（３２）から形成されるが、前記ボルト胴体（３２）はねじ山が形成されるねじ部（３２ａ）とねじ山なしに相対的に直径の小さいねじレス部（３２ｂ）から形成されて、前記ねじレス部（３２ｂ）がボルトガイド孔（１３）に沿ってガイドされ、前記ヒンジボルト（３０）のねじ部（３２ａ）が対応する高さの貫通孔（１２）を貫通した状態で固定手段により固定されることにより固定ブラケット（２０）の高さが調節され、ブラケット固定具（４０）が前記円弧形の傾きガイド孔（２４）と固定支柱（１０）の貫通孔（１２）を貫通することにより前記固定ブラケット（２０）が調節された傾きで前記固定支柱（１０）に固定されて角度の柔軟な調節が可能であることを特徴とする可変型太陽光パネル基礎構造体。」を提示する。
【０００８】
しかしながら、このような可変型太陽光パネル基礎構造体の場合、台風・地震・ハリケーンなどの天災地変による圧力が発生する時、一般的な形態で地面に挿設された太陽光パネル基礎構造体を支持することができず、回転されたり離脱したり崩れたりしてしまう問題がしばしば発生する問題がある。
【発明の概要】
【発明が解決しようとする課題】
【０００９】
前記のような従来の問題点を根本的に改善するための本発明の目的は、街灯・信号灯・道路標識・通信塔・太陽光設備・各種フェンスなどの下柱を支える支柱を地面の内部において堅固に固定して安全性を確保する一方、オーガドリルで穿孔された地面上に挿設されたアンカー基礎機構をアンカーアセンブリのアンカーピンにより地面の内側面部に深く打ち込まれるようにして綿密に固定されるように形成することにより、作業の容易性及び設置上の便宜性とともに細密な固定力が得られることはもちろん、電力の供給が必要な街灯や信号灯などに設置される電線や付帯施設などが外部に露出しないように構成することによりきれいな外観を保つことができ、回転防止板を構成して支柱上に加えられる多くの圧力から支柱を支持することにより回転を防止し、外部圧力により強制に抜かれることを防止でき、施設の寿命が尽きるか位置を移動するとき、アンカー基礎機構のアンカーピンをアンカー基礎内部の元位置に戻してアンカー基礎機構の回収を円滑にすることができる支柱固定の容易性と固定力強化を兼ね備えたアンカー基礎機構を提供することにある。
【課題を解決するための手段】
【００１０】
前記目的を達成するための本発明は、街灯・信号灯・道路標識・通信塔・太陽光設備・各種フェンスなどの施設を地面に支持するための支柱を固定するアンカー基礎機構を形成するにおいて、前記地面内部に挿設可能に形成され、内部に収容空間を備える円筒垂直管状の胴体部；前記胴体部の下側にボルトで固定されて地面内部への挿設が容易になるように備えるカバー部；前記胴体部の上側に一体で形成されて地面に露出された後、施設支柱との固定が可能になるように多数の通孔と施設固定ボルトフランジを有する支持部；及び前記胴体部の収容空間に形成されて地面の内側面部に深く打ち込まれるようにした後、綿密に固定されるようにすることにより、荷重を支持し、強制に抜かれることを防止できるようにアンカーピンを備えるアンカーアセンブリ；を含んで構成されることを特徴とする。
【００１１】
ここで、本発明の前記胴体部は、収容空間と連通して電線及びＥＬＰ電線管、接地線などを挿設して電源の供給が円滑になるように多数の引き込みホールをさらに備えることを特徴とする。
【００１２】
また、本発明の前記胴体部は、施設支柱に加えられる風・台風・ハリケーン・地震などの圧力により回転又は沈下することを防止するために回転防止板をさらに備えることを特徴とする。
【００１３】
また、本発明の前記カバー部は、地面の挿設の程度を回転工具を使用して調節できるように外部面にコーン状のカバーと多数のスクリューが形成されることを特徴とする。
【００１４】
また、本発明の前記アンカーアセンブリは、胴体部の直径パイ（Φ）がおよそ１５０ｍｍ以下である場合は、２ピンのアンカーピンを使用する一方、胴体部の内部にボルトで固定される上部支持台と下部支持台の間に多数のレールにより支持される支持台部と、支持台部のレールを収容して上・下部への移送ができるようにレール溝を有してアンカーピンを収容し、アンカーピンが完全に広がった時はアンカーピンが左・下部に動けないようにするアンカーピンハウスと、移送台にアンカーピンがうまく動けるようにサイドピンとサイドピンホールを有し、移送台の下部移送により傾斜溝から外部にアンカーピンが突出カバーを押し出しながら徐々に地面内部において挿設・固定されるようにする多数のアンカーピンを備える一方、アンカーピンにサイドピンが挿入される両サイドには異物の混入及び地下水などの流入を遮断し、固着を防止するため異物遮断室をさらに備える。
【００１５】
そして、アンカーアセンブリは、胴体部の内部に固定される上部支持台と下部支持台の間に多数のレールにより支持される支持台部と、支持台部のレールを収容して上・下部に移送可能にレール溝を有し、移送台の中心にセンターボルトが挿入されるようにセンターボルト貫通孔を備える移送台と、移送台のセンターボルト貫通孔上にセンターボルトを挿設して下部支持台のセンターボルトタブに締結した後、ジョイントボックス（登録商標）を介してセンターボルトの回転により移送台を上下移動させるセンターボルトと、センターボルト上に移送台を支持するワッシャー及びスナップリングと、移送台にアンカーピンがうまく動けるようにサイドピンを有し、センターボルトの回転による移送台の下部移送により傾斜溝からアンカー基礎機構のアンカーピンが突出カバーを押し出しながら徐々に地面内部に挿設・固定される多数のアンカーピンとを備える。ここで、センターボルトに締結されるワッシャーとスナップリングは移送台の自由落下を防止し、センターボルトを逆回転させてアンカーピンを元位置に戻す時、移送台を支え上げてアンカーピンがアンカー基礎機構の胴体内部の元位置に戻す役割を果たすことを特徴とする。
【００１６】
また、本発明による前記アンカーアセンブリは、胴体部の直径パイ（Φ）が１５０ｍｍ以上である場合はアンカーピンが３ピン又は４ピンのアンカーアセンブリを使用する一方、上部支持台と下部支持台の間に多数のレールにより支持される支持台部と支持台部のレールを収容して上・下部に移送可能にするレール溝を有し、アンカーピンを収容してアンカーピンが完全に広がった時はアンカーピンが左・右に動けないようにするアンカーピンハウスと、移送台にアンカーピンがうまく動けるようにサイドピンとサイドピンホールを有し、ロックボルトが通過できるようにロックボルトホールと側面には移送台の自由落下を防止するタップボルトがあり、移送台の中心に締結ナットを備える移送台と移送台の締結ナットに締結工具の下段部締結ボルトと連結し、締結工具上部には油圧ジャッキ（図示せず)とＵ字連結ピンにより連結して油圧ジャッキを下降させて油圧ジャッキの力により移送台を下降させ、下部移送により傾斜溝から外部にアンカーピンが突出カバーを押し出しながら徐々に地面内部において挿設・固定されるようにする多数のアンカーピンとを備える一方、移送台が完全に下部移送を終えたとき、下部支持台に固定されたロックボルトが移送台のロックボルトホールを通過してロックボルトにナットを締結して移送台が上部に移動しないように固定することを特徴とする。
【００１７】
また、支持部のフランジと施設支柱固定部を施設固定ボルトで固定するとき、固定部間に絶縁板と絶縁ワッシャーを挿入してナットで固定されると、内部から上がってくる微細電流を遮断して人命と施設を保護することを特徴とする。
【００１８】
また、アンカー基礎機構に使用される部品は、腐食を最大限防止するためにメッキ処理を施すことを基本とすることを特徴とする。
【００１９】
また、本発明による前記胴体部は、地面内部に挿設されるとき、胴体部の収容空間への異物の流入を防止するとともに、外部に突出するアンカーピンにより上部方向に開放されるように突出カバー全体が切断されているが、上部の２ヶ所が約２ｍｍ程度連結されているため、アンカーピンが外部に突出する場合、上部が一体化した状態で連結されて折曲される突出カバーをさらに備えることを特徴とする。
【００２０】
一方、本明細書及び特許請求の範囲に用いられた用語や単語は、通常的かつ辞書的な意味に限定して解釈されてはならず、発明者は自身の発明を最良の方法で説明するために用語の概念を適宜定義することができるという原則に即して、本発明の技術的思想に適合する意味と概念に解釈されなければならない。従って、本明細書に記載の実施形態と図示の構成は、本発明の最も好ましい一実施形態に過ぎなく、本発明の技術的思想を全て代弁するものでないため、本出願の時点でこれらを代替することができる多様な均等物と変形例があり得ると理解すべきである。
【発明の効果】
【００２１】
このような本発明によると、街灯・信号灯・道路標識・通信塔・太陽光設備・各種フェンスなどの下柱を支える支柱を地面内部において堅固に固定して安全性を確保する一方、オーガドリルにより穿孔された地面上に挿設されたアンカー基礎機構をアンカーアセンブリのアンカーピンにより地面の内側面部に深く打ち込まれるようにして綿密に固定されるように形成することにより作業の容易性及び設置上の利便性とともに細密な固定力が得られるようにすることはもちろん、電力の供給が必要な街灯や信号灯などに設置される電線や付帯施設などが外部に露出しないように構成することによりきれいな外観を保つことができ、回転防止板を構成して支柱上に加えられる多くの圧力から支柱を支持することにより回転されることを防止し、外部圧力により強制に抜かれることを防止することができ、施設の寿命が尽きるか施設の位置を移動するとき、アンカー基礎機構のアンカーピンをアンカー基礎内部の元位置に戻してアンカー基礎機構の回収を円滑にする効果を提供する。
【図面の簡単な説明】
【００２２】
【図１】本発明によるアンカー基礎機構の斜視図である。
【図２ａ】本発明の一実施例によるアンカー基礎機構の斜視図である。
【図２ｂ】本発明の一実施例によるアンカー基礎機構の正面図である。
【図３】本発明によるアンカー基礎機構の作動状態を示す斜視図である。
【図４ａ】本発明によるアンカー基礎機構の作動状態を順次示す斜視図である。
【図４ｂ】本発明によるアンカー基礎機構の作動状態を順次示す斜視図である。
【図４ｃ】本発明によるアンカー基礎機構の作動状態を順次示す斜視図である。
【図５】本発明によるアンカー基礎機構の作動状態を示す断面図と正面図である。
【図６】本発明によるアンカー基礎機構の作動状態を他の角度から見た断面図である。
【図７ａ】本発明によるアンカー基礎機構の挿設方法を示す断面図である。
【図７ｂ】本発明によるアンカー基礎機構の挿設方法を示す断面図である。
【図８】本発明によるアンカー基礎機構の装着状態を示す断面図である。
【図９ａ】本発明によるアンカー基礎機構のうち１つのアンカーアセンブリを示す斜視図と作動斜視図である。
【図９ｂ】本発明によるアンカー基礎機構のうち１つのアンカーアセンブリを示す斜視図と作動斜視図である。
【図９ｃ】本発明によるアンカー基礎機構のうち１つのアンカーアセンブリを示す斜視図と作動斜視図である。
【図９ｄ】本発明によるアンカー基礎機構のうち１つのアンカーアセンブリを示す斜視図と作動斜視図である。
【図１０ａ】本発明によるアンカー基礎機構のうちまた他のアンカーアセンブリを示す斜視図と作動斜視図である。
【図１０ｂ】本発明によるアンカー基礎機構のうちまた他のアンカーアセンブリを示す斜視図と作動斜視図である。
【図１０ｃ】本発明によるアンカー基礎機構のうちまた他のアンカーアセンブリを示す斜視図と作動斜視図である。
【図１１】本発明によるアンカー基礎機構の回転防止板を示す分解斜視図である。
【図１２ａ】本発明によるアンカー基礎機構の胴体部及び支持部を示す分解斜視図である。
【図１２ｂ】本発明によるアンカー基礎機構の胴体部及び支持部を示す斜視図及び断面図である。
【図１３ａ】本発明によるアンカー基礎機構の胴体部及び支持部と支持部に安着される支持部連結体を示す斜視図である。
【図１３ｂ】本発明によるアンカー基礎機構の胴体部及び支持部と支持部に安着された支持部連結体を示す斜視図である。
【発明を実施するための形態】
【００２３】
以下、添付の図面を参照して本発明による好ましい実施例を詳細に説明する。
【００２４】
本発明は、街灯・信号灯・道路標識・通信塔・太陽光設備・各種フェンスなどの施設を地面１に支持するための支柱２を固定するアンカー基礎機構に関し、胴体部１０・カバー部２０・支持部３０・アンカーアセンブリ４０、５０などを主な構成とする。
【００２５】
本発明による胴体部１０は、前記地面１の内部に挿設可能に形成され、内部に収容空間１１を備える。胴体部１０は、施設を設置する場所の地面１に穿孔機などにより胴体部１０が挿設できるように一定の直径と深さにオーガドリルで穿孔し、穿孔された場所に胴体部１０が挿設される。このような胴体部１０は垂直管の形態に形成されることにより、内側には収容空間１１を形成して後述するアンカーアセンブリ４０、５０が収容できるように構成される。また、胴体部１０が穿孔に挿設されるとき、地面１と正確な垂直及び水平をなすように施設を装着することがよく、穿孔に挿設が容易になるように円形の管状に形成されることが適当である。そして、胴体部１０の場合、円形のみを図示しているが、四角形・五角形・六角形などの様々な形態に形成できるので、形態はこれに限定されない。
【００２６】
また、本発明によるカバー部２０は、前記胴体部１０の下側に固定されて地面１の内部への挿設を容易にする。カバー部２０は、前述の胴体部１０の下側、すなわち、穿孔により胴体部１０が先に挿入される部分において、カバー部２０が締結又は別のボルトなどにより一体の状態で固定される。カバー部２０は、円錐形に形成されて胴体部１０と接する部分は円形に形成され、下部に行くほど尖った部分が目立つように構成される。これは、前述のように穿孔に胴体部１０を挿設するとき、後述する支持部３０が地面１に一致しなければならないが、ここで、穿孔機などにより穿孔を形成する場合、正確な形成が難しいため、支持部３０が地面１に一致するようにカバー部２０により調節できる。
【００２７】
また、本発明による支持部３０は、前記胴体部１０の上側に一体として形成されて地面１に露出した後、支柱２との固定ができるように多数の通孔３１とフランジ３２を有する。支持部３０は、前述の胴体部１０に装着されるカバー部２０の反対方向である上側部分に一体又は結合して形成される構成であって、地面１と一致するようにして街灯・信号灯・道路標識・通信塔・太陽光設備・各種フェンスなどが形成される施設の支柱２の装着を可能とする。このような支持部３０には、支柱２と締結・固定できるように多数の通孔３１が貫通した形態に構成され、施設を固定できるように締結ボルトを形成し、フランジ３２により地面１に安着できるように構成される。そして、支持部３０は、通孔３１に挿設されて施設の固定ボルト３３により施設を固定した後に支持可能に構成し、支持部３０が施設の荷重をさらに綿密に耐えるようにするために補強片３４をさらに備える。
【００２８】
このとき、前記胴体部１０には収容空間１１と連通して電線及びＥＬＰ電線管、接地線などを挿設した後、電源の供給ができるように引き込みホール１２をさらに備えることを特徴とする。胴体部１０には１つ乃至１つ以上の引き込みホール１２を形成して施設への電源供給のための電線及びＥＬＰ電線管、接地線などの挿設を可能にし、外部に露出しないようにして審美感と装飾美を向上させる。このように電力供給の構成は法規上、地下４０〜６０ｃｍ程度の地面１内に埋設するように規定しているため、この時、掘削作業により適当な深さと幅で掘削した後、電線及びＥＬＰ電線管、接地線などを引き込みホール１２に挿設した後、胴体部１０の収容空間１１を介して連結できるようにする。このような引き込みホール１２に電線及びＥＬＰ電線管、接地線などを必要としない施設を利用するときは、引き込みホール１２を蓋で塞いで内部への土などの異物の混入を防止し、それに対して、電線及びＥＬＰ電線管、接地線などが必要な施設を利用するときは、ドライバなどの道具を利用して蓋を外して引き込みホール１２が貫通するようにするが、そのときの引き込みホール１２は左右１８０°方向に約２〜３ｍｍ程度のみが連結されている。
【００２９】
また、前記胴体部１０は、支柱１に加えられる風などの圧力により回転又は沈下することを防止するように回転防止板１３をさらに備えることを特徴とする。このような構成は、街灯・信号灯・道路標識・通信塔・太陽光設備・各種フェンスなどの施設が装着されたとき、風のような外部圧力により施設が強制に加圧されることはもちろん、施設の支柱２とともに胴体部１０が地面１の内部において回転する可能性もあるので、これを防止するため回転防止板１３を装着する。このような回転防止板１３の場合、広い板状に形成されることが回転防止に有利であるが、これに限定されない。そして、回転防止板１３は、胴体部１０に回転防止板固定ボルト１８のみにより個別の固定力を与えると、台風・地震・ハリケーンなどの強力な天災地変により支持力が弱まる可能性があるため、胴体部１０の内部に挿設される回転防止板用ナット１５を利用して回転防止板固定ボルト１８の締結により回転防止板１３を互いに固定させることにより、固定力を大きく増大させることもできる。このような回転防止板１３は、施設に応じて設置してもよく、設置しなくても構わない。ただし、通信塔・街灯・信号灯・道路標識などの基礎構造には設置することが好ましい。また、回転防止板１３の設置は、電線及びＥＬＰ電線管、接地線などを埋設するために掘削作業を行ったとき、電線及びＥＬＰ電線管、接地線などを引き込みホール１２に引き込ませた後に回転防止板１３を設置する。また、回転防止板１３は、別の回転防止板固定ボルト１８により胴体部１０に固定され、回転防止板用ナット１５と締結・固定できるようにする。
【００３０】
一方、本発明による前記カバー部２０は、地面１の挿設程度を調節できるように、外部面にスクリュー２１が形成されることを特徴とする。カバー部２０は、前述のようにオーガドリルで穿孔に胴体部１０を挿設したとき、支持部３０が地面１に一致するように、支持部３０に回転工具６３などを使用して回転させた後、微細調整ができるようにカバー部２０にスクリュー２１を形成して地面１の内部に容易に挿設できるように調節する。すなわち、地面１の上部に正確に位置しなければならないが、最初の穿孔時には多少差があり得るため、支持部３０を回転工具６３などを使用して胴体部１０を回転させることによりカバー部２０の外面に形成されたスクリュー２１により地面１の内部により一層挿入されるようになることにより、高さ調節が容易になる。そして、カバー部２０は、カバー固定ボルト１７により胴体部１０に固定される。
【００３１】
また、本発明によるアンカーアセンブリ４０は、前記胴体部１０の収容空間１１に形成されて地面１の内側面に打ち込まれて固定されることにより、回転及び強制抜きを防止し、また、荷重を支持できるようにアンカーピン４８、５８を備える。アンカーアセンブリ４０、５０は、胴体部１０の収容空間１１に上部支持台４１、５１と下部支持台４２、５２をボルトで固定した状態で、地面１の内部に胴体部１０が挿設された状態でアンカーアセンブリ４０、５０を作動させることにより突出カバー１４を押し出しながら突出するアンカーピン４８、５８が、地面１の内面部に打ち込まれて胴体部１０の離脱を防止する。こうなることにより、胴体部１０と回転防止板１３とカバー部２０が地面１の内部に挿設され、外部に露出する支持部３０に街灯・信号灯・道路標識・通信塔・太陽光設備・各種フェンスなどの施設に形成される支柱２と相互結合・固定されて支持される。そして、アンカーアセンブリ４０、５０の上部支持台４１、５１と下部支持台４２、５２を胴体部１０に固定できるようにすることはアンカーアセンブリ固定ボルト１６である。
【００３２】
このとき、前記アンカーアセンブリ４０は、第１実施例として、胴体部１０の内部に固定される上部支持台４１と下部支持台４２の間に多数のレール４３により支持されるようにする支持台部４４と、支持台部４４のレール４３を収容して上下部への移送可能にレール溝４５ａを有し、中央に締結ナット４５ｂを備えて上下移送ができるようにした移送台４５と、移送台４５にアンカーピン４８がうまく動けるようにサイドピン４６を有し、移送台４５の下部移送により傾斜溝４７から突出カバー１４を押し出しながら徐々に地面１の内部に挿設・固定される多数のアンカーピン４８及びアンカーピンハウス４５ｆとを備える一方、第２実施例としてのアンカーアセンブリ５０は、胴体部１０の内部に固定される上部支持台５１と下部支持台５２の間に多数のレール５３により支えられるようにする支持台部５４と、支持台部５４のレール５３を収容して上下部への移送ができるようにレール溝５５ａを有し、センターボルト５６を挿入できるように貫通孔５５ｂを備える移送台５５と、移送台５５の貫通孔５５ｂに挿設し、下部支持台５２のセンターボルトタッブに締結した後、回転により移送台５５を上下移動させるセンターボルト５６と、センターボルト５６に移送台５５を支持するようにするワッシャー５６ａ及びスナップリング５６ｂと、移動台５５においてアンカーピン５８がうまく動けるようにサイドピン４６を有し、センターボルト５６の回転による移送台５５の下部移送により傾斜溝４７から外部に地面１の内部に挿設・固定される多数のアンカーピン５８及びアンカーハウス５５ｃとを備える。ここで、前記第１実施例と第２実施例の構成のいずれかを１つを選択して構成し、固定ボルトタブ５２ｂは、アンカーアセンブリ５０を固定できるようにする。
【００３３】
このように前記アンカーアセンブリ４０、５０は、第１及び第２実施例の２つの方法により胴体部１０を地面１の内部に固定する。まず、アンカーアセンブリ４０には、上部支持台４１と下部支持台４２の間に垂直方向に固定される多数のレール４３が装着されて構成された支持台部４４のレール４３に沿って上・下部に移送可能な移送台４５が収容されている。そして、移送台４５にレール溝４５ａはレール４３の個数に合わせて形成されているため、レール溝４５ａにレール４３が挿設された状態を維持するようになり、移送台４５の上部中央には締結ナット４５ｂが形成される。そして、移送台４５には多数のアンカーピン４８が放射型方向にサイドピン４６により外部に挿入可能に成形され、下部支持台４２にはアンカーピン４８が形成される位置に対応して傾斜溝４７を形成する。従って、地面１の内部に胴体部１０とカバー部２０を挿設した後、露出した支持部３０の中央を介して作業者が締結工具６１で胴体部１０の収容空間１１を移送台４５の上部中央に形成される締結ナット４５ｂと締結した後に移送台４５を下降させると、移送台４５の下降とともにアンカーピン４８が傾斜溝４７に沿って放射状に広がるようになることにより、アンカーピン４８が地面１の内部に打ち込まれて固定される構造である。そして、作業前に移送台４５は、その荷重によりレール４３に沿って下部に移送し得るが、この場合、移送台４５の移動によりアンカーピン４８が広がった状態を維持するようになることになり作業に困難が発生する可能性がある。従って、作業前に移送台４５は常に上部支持台４１に近接して位置していなければならないため、別途のタップボルト４５ｃを備えて固定する。すなわち、タップボルト４５ｃには中央に切断部４５ｄが形成されているため、作業者が締結工具６１又は回転工具６３などにより移送台４５を下部に強制に移送させることになるが、そのとき、レール４３上にある移送台４５は、切断部４５ｄの破損により固定力を失ったまま下部に移送する。そして、移送台４５には、１つ以上のロックボルトホール４９ａが形成され、その直下方に一致するように下部支持台４２の上部方向に突出したロックボルト４９ｂが形成されて移送台４５が下部に移送する場合、ロックボルト４９ｂはロックボルトホール４９ａを貫通して外部に突出するとともにロックボルトナット４９ｃとロックボルト４９ｂが締結・固定されることにより移送台４５が下降した状態を継続して維持できるようにする。また、サイドピンホール４５ｅはサイドピン４６を挿入してアンカーピン４８を連結できるようにする。そして、アンカーピンハウス４５ｆはアンカーピン４８が収容されるものであり、アンカーピン４８の動きを制限しながら広がる方向に誘導できるように構成される。また、ボルトタブ４１ａは、上部支持台４１に形成されてアンカーアセンブリ４０を固定するときに別途のボルトを収容できる。言い換えると、本発明による前記アンカーアセンブリ４０は、胴体部１０の直径パイ（Φ）が１５０ｍｍ以上である場合はアンカーピン４８が３ピン又は４ピンのアンカーアセンブリを使用する一方、上部支持台４１と下部支持台４２の間に多数のレール４３により支持される支持台部４４と支持台���４４のレール４３を収容して上・下部に移送可能にレール溝４５ａを有し、アンカーピン４８を収容してアンカーピン４８が完全に広がったときはアンカーピン４８が左・右に動けないようにするアンカーピンハウス４５ｆと、移送台４５にアンカーピン４８がうまく動けるようにサイドピン４６とサイドピンホール４６ａを有し、ロックボルト４９ｂが通過できるようにロックボルトホール４９ａと側面には移送台４５の自由落下を防止するタップボルト４５ｃがあり、移送台４５の中心に締結ナット４５ｂを備える移送台４５と移送台４５の締結ナット４５ｂに締結工具６１の下段部の締結ナット４５ｂと連結し、締結工具６１上部には油圧ジャッキ（図示せず）とＵ字状の連結ピンで連結して油圧ジャッキを下降させて油圧ジャッキの力で移送台を加工させ、下部移送により傾斜溝４７から外部にアンカーピン４８が突出カバー１４を押し出しながら徐々に地面の内部において挿設・固定されるようにする多数のアンカーピン４８及びアンカーピンハウス４５ｆとを備える一方、移送台４５が完全に下部移送を終えたとき、下部支持台４２に固定されたロックボルト４９ｂが移送台４５のロックボルトホール４９ａを通過してロックボルト４９ｂにロックボルトナット４９ｃを締結して移送台４５が上部に移動しないように固定させることを特徴とする。
【００３４】
そして、アンカーアセンブリ５０は、上部支持台５１と下部支持台５２の間に垂直方向に固定される多数のレール５３が装着されて構成された支持台部５４にレール５３に沿って上・下部に移送可能になるように移送台５５が備えられ、移送台５５にはレール溝５５ａをレール５３の個数に合わせて形成されてレール溝５５ａにレール５３が挿設された状態を維持することにより移送台５５が上・下部に移送できるように構成される。また、移送台５５の中央には貫通孔５５ｂが形成されてセンターボルト５６が上部から貫通孔５５ｂに挿設した状態で下部支持台５２のセンターボルトタブに締結した後、作業者がジョイントボックスなどのジョイント工具６２でセンターボルト５６の頭部を固定して回転させることにより移送台５５が上下部に移送されるようにする。この時、ワッシャー５６ａとスナップリング５６ｂがセンターボルト５６のスナップリング溝５６ｃに挿入されて移送台５５の下部を支持するようになり、それにより、下部支持台５２を中心に移送台５５は上下に移送する。そして、移送台５５は、多数のアンカーピン５８が放射型方向にサイドピン４６を介して広がるように形成され、下部支持台５２はアンカーピン５８が形成される位置に対応して傾斜溝５７を形成するようになることにより、地面１の内部に胴体部１０とカバー部２０を挿入させた後、露出した支持部３０の中央を介して作業者がジョイントボックスなどのジョイント工具６２により胴体部１０に収容空間１１とセンターボルト５６の頭部を固定して回転させることにより移送第５５を下降させると、移送第５５の下降とともにアンカーピン５８が傾斜溝５７に沿って放射状に広がるようになり、アンカーピン５８は地面１の内部に打ち込まれて固定される構造である。また、アンカーピンハウス４５ｆは、アンカーピン５８が収容されるものであり、アンカーピン５８の動きを制限しながら広がる方向に誘導するように構成される。そして、レール５３は、上部支持台５１と下部支持台５２に固定されるように固定タブ５３ａを備える。
【００３５】
言い換えると、本発明の前記アンカーアセンブリ５０は、胴体部の直径パイ（Φ）がおよそ１５０ｍｍ以下である場合は、２ピンのアンカーピン５８を使用する一方、胴体部１０の内部にボルトで固定される上部支持台５１と下部支持台５２の間に多数のレール５３により支持される支持台部５４と、支持台部５４のレール５３を収容して上・下部に移動可能にするレール溝５５ａを有してアンカーピン５８を収容し、アンカーピン５８が完全に広がったときはアンカーピン５８が左・右に動けないようにするアンカーピンハウス５５ｃと、移送台５５にアンカーピン５８がうまく動けるようにサイドピン４６とサイドピンホール４６ａを有し、移送台５５の下部移送により傾斜溝５７から外部にアンカーピン５８が突出カバー１４を押し出しながら徐々に地面の内部において挿設・固定されるようにする多数のアンカーピン５８を備える一方、アンカーピン５８にサイドピン４６が挿入される両サイドには異物の混入及び地下水などの流入を遮断し、固着を防止するために異物遮断室４６ｂをさらに備える。
【００３６】
このとき、前記胴体部１０は、地面１の内部に挿設する場合、胴体部１０の収容空間１１への異物混入を防止するとともに、アンカーピン４８により上部方向に開放されるように上部の一部分が固定されるとともに折曲される突出カバー１４をさらに備えることを特徴とする。前述のようにアンカーアセンブリ４０、５０によりアンカーピン４８、５８が地面１の内部に埋め込まれて固定されるためには、胴体部１０にアンカーピン４８、５８が突出する空間が形成されなければならないため、このような空間に胴体部１０を地面１に挿設する場合、土などの流入物が胴体部１０の収容空間１１に流入してアンカーピン４８、５８の挿入を妨害する可能性があるため、地面１の穿孔に挿設する場合、胴体部１０の流入物が発生しないように突出カバー１４を備える。突出カバー１４は、胴体部１０にアンカーピン４８、５８の突出部分に形成され、上部の２ヶ所の２〜３ｍｍのみが胴体部１０と一体に連結されているため、平常時は塞いだ状態を維持し、地面１の穿孔に胴体部１０が挿設されてアンカーアセンブリ４０、５０によるアンカーピン４８、５８が突出すると、突出カバー１４も共に突出するため、流入物によるアンカーピン４８、５８の挿入妨害が発生しないため、綿密な固定が可能になる。また、アンカーピン４８、５８の両側サイドビン４６の装着部位に別途の異物遮断室４６ｂを挿設してアンカーピン４８、５８の固着を防止し、異物の流入などを防止することができる。
【００３７】
また、支持部３０のフランジ３２と施設支柱固定部を施設固定ボルト３３で固定するとき、フランジ３２と施設支柱固定部との間で絶縁板３２ａと絶縁ワッシャー３２ｃを挿入してナットで固定して、地面の内部から上がってくる微細電流を遮断して人命と施設を保護することを特徴とする。
【００３８】
また、アンカー基礎機構に使用される全ての部品は、腐食を最大限防止するためにメッキ処理を施すことを基本とすることを特徴とする。
【００３９】
また、回転工具６３は、支持部３０のフランジ３２上に安着して施設固定ボルト３３により固定される支持部連結体７０上に挿設した後、支持部３０と固定されている支持部連結体７０と挿設された回転工具６３を固定ピン７１により固定して回転することにより、胴体部１０は、地面１の内部に挿設される。
【００４０】
このような本発明によると、街灯・信号灯・道路標識・通信塔・太陽光設備・各種フェンスなどの下柱を支える支柱を地面の内部において堅固に固定して安全性を確保する一方、オーガドリルで穿孔された地面上に挿設されたアンカー基礎機構をアンカーアセンブリのアンカーピンにより地面の内側面部に深く打ち込まれるようにして、綿密に固定されるように形成することにより作業の容易性及び設置上の利便性とともに細密な固定力が得られるようにすることはもちろん、電力供給が必要な街灯・信号灯などに設置される電線や付帯施設などが外部に露出しないように構成することによりきれいな外見を保つことができ、回転防止板を構成して支柱上に加えられる多くの圧力から支柱を支持することにより回転を防止し、外部圧力により強制に抜かれることを防止することができ、また、アンカー基礎機構は施設に応じて地面から１ｍ〜５ｍの地下に挿入でき、施設の寿命が尽きるか、位置を移動するときに、アンカー基礎機構のアンカーピンをアンカー基礎の内部の元位置に戻してアンカー基礎機構の回収を円滑にする効果を提供する。
【００４１】
本発明は、記載された実施例に限定されるものではなく、本発明の思想及び範囲内で様々な修正及び変形ができることはこの技術分野で通常の知識を有する者には自明である。従って、そのような修正例または変形例は本発明の特許請求の範囲に属すべきである。
【図１】
2022501537.tif 000003
【図２ａ】
2022501537.tif 000004
【図２ｂ】
2022501537.tif 000005
【図３】
2022501537.tif 000006
【図４ａ】
2022501537.tif 000007
【図４ｂ】
2022501537.tif 000008
【図４ｃ】
2022501537.tif 000009
【図５】
2022501537.tif 000010
【図６】
2022501537.tif 000011
【図７ａ】
2022501537.tif 000012
【図７ｂ】
2022501537.tif 000013
【図８】
2022501537.tif 000014
【図９ａ】
2022501537.tif 000015
【図９ｂ】
2022501537.tif 000016
【図９ｃ】
2022501537.tif 000017
【図９ｄ】
2022501537.tif 000018
【図１０ａ】
2022501537.tif 000019
【図１０ｂ】
2022501537.tif 000020
【図１０ｃ】
2022501537.tif 000021
【図１１】
2022501537.tif 000022
【図１２ａ】
2022501537.tif 000023
【図１２ｂ】
2022501537.tif 000024
【図１３ａ】
2022501537.tif 000025
【図１３ｂ】
2022501537.tif 000026
【国際調査報告】
2022501537.tif 000027
2022501537.tif 000028
2022501537.tif 000029
2022501537.tif 000030